(57)【要約】【課題】接続部をタッチプロテクト構造とすることが可能な接続構造及び接続部保護部材を提供する。【解決手段】端子台２に設けられた第１電極３と、ケーブル４の端部に設けられた第２電極５とをねじ止め固定する接続部６を有する接続構造１００であって、ねじ止め用のねじ７と、端子台２に固定され、接続部６を覆うように設けられる絶縁体からなるハウジング８と、を有する接続部保護部材１を備え、ハウジング８は、ねじ７を通す中空円筒状のガイド部１０を有し、ガイド部１０は、ねじ止め固定を解除したときに、ねじ７を第１電極３から離間させた状態でガイド部１０内に保持するねじ保持機構１３を有する。
2017064773.tif 000002
【特許請求の範囲】
【請求項１】
端子台に設けられた第１電極と、ケーブルの端部に設けられた第２電極とをねじ止め固定する接続部を有する接続構造であって、
ねじ止め用のねじと、
前記端子台に固定され、前記接続部を覆うように設けられる絶縁体からなるハウジングと、を有する接続部保護部材を備え、
前記ハウジングは、前記ねじを通す中空円筒状のガイド部を有し、
前記ガイド部は、前記ねじ止め固定を解除したときに、前記ねじを前記第１電極から離間させた状態で前記ガイド部内に保持するねじ保持機構を有する、
接続構造。
【請求項２】
前記ねじ保持機構は、
前記ガイド部に一体に形成され、下方に延出された軸部と該軸部の下端部に内方に突出するように形成された突起部とを有し、径方向外方に弾性的に変形するランスを有し、
前記ねじ止め固定を解除したときに、前記突起部により前記ねじの頭部を支持することで、前記ねじを前記ガイド部内に保持するように構成される、
請求項１に記載の接続構造。
【請求項３】
前記ねじ保持機構は、
前記ガイド部の上部に内方に突出するように設けられ、前記ねじが上方に抜けることを抑制する抜け止め突起を有する、
請求項１または２に記載の接続構造。
【請求項４】
前記ハウジングは、
対向配置された１対の側壁と、前記両側壁の先端部を連結する前壁と、前記両側壁と前記前壁の上端部を連結し、前記ねじを操作する工具を通す工具用穴が形成された上壁と、を一体に有し、
少なくとも前記ガイド部よりも前記第２電極の挿入側に形成され、前記第１電極を覆うように設けられた電極保護用リブを有する、
請求項１または２に記載の接続構造。
【請求項５】
前記ねじの頭部には、絶縁塗装が施されている、
請求項１乃至４の何れか１項に記載の接続構造。
【請求項６】
端子台に設けられた第１電極と、ケーブルの端部に設けられた第２電極とをねじ止め固定する接続部に設けられる接続部保護部材であって、
ねじ止め用のねじと、
前記端子台に固定され、前記接続部を覆うように設けられる絶縁体からなるハウジングと、を備え、
前記ハウジングは、前記ねじを通す中空円筒状のガイド部を有し、
前記ガイド部は、前記ねじ止め固定を解除したときに、前記ねじを前記第１電極から離間させた状態で前記ガイド部内に保持するねじ保持機構を有する、
接続部保護部材。
【発明の詳細な説明】
【技術分野】
【０００１】
本発明は、接続構造及び接続部保護部材に関する。
【背景技術】
【０００２】
従来、例えば電気自動車やハイブリッド車等において、バッテリやインバータ等の機器とケーブルとを接続する際に、機器の端子台に設けられた板状の第１電極（バスバ端子）と、ケーブルの端部に設けられた板状の第２電極（バスバ端子）とをねじ止め固定により電気的に接続することが行われている（例えば、特許文献１参照）。
【先行技術文献】
【特許文献】
【０００３】
【特許文献１】特開２０１４−９６９３１０号公報
【発明の概要】
【発明が解決しようとする課題】
【０００４】
ところで、上述のようなバッテリやインバータとケーブルとの接続部では大電流が流れる場合があり、作業者が直接端子等に触れると感電してしまうおそれがある。車両のシステム構成によっては、バッテリやインバータの端子台が剥き出しとなっている場合もあり、作業者の安全を確保するために、作業者が接続部に直接触れることができない構造とすること、すなわち接続部をタッチプロテクト構造とすることが望まれている。【０００５】
そこで、本発明は、接続部をタッチプロテクト構造とすることが可能な接続構造及び接続部保護部材を提供することを目的とする。
【課題を解決するための手段】
【０００６】
本発明は、上記課題を解決することを目的として、端子台に設けられた第１電極と、ケーブルの端部に設けられた第２電極とをねじ止め固定する接続部を有する接続構造であって、ねじ止め用のねじと、前記端子台に固定され、前記接続部を覆うように設けられる絶縁体からなるハウジングと、を有する接続部保護部材を備え、前記ハウジングは、前記ねじを通す中空円筒状のガイド部を有し、前記ガイド部は、前記ねじ止め固定を解除したときに、前記ねじを前記第１電極から離間させた状態で前記ガイド部内に保持するねじ保持機構を有する、接続構造を提供する。【０００７】
また、本発明は、上記課題を解決することを目的として、端子台に設けられた第１電極と、ケーブルの端部に設けられた第２電極とをねじ止め固定する接続部に設けられる接続部保護部材であって、ねじ止め用のねじと、前記端子台に固定され、前記接続部を覆うように設けられる絶縁体からなるハウジングと、を備え、前記ハウジングは、前記ねじを通す中空円筒状のガイド部を有し、前記ガイド部は、前記ねじ止め固定を解除したときに、前記ねじを前記第１電極から離間させた状態で前記ガイド部内に保持するねじ保持機構を有する、接続部保護部材を提供する。
【発明の効果】
【０００８】
本発明によれば、接続部をタッチプロテクト構造とすることが可能な接続構造及び接続部保護部材を提供できる。
【図面の簡単な説明】
【０００９】
【図１Ａ】本発明の一実施の形態に係る接続構造の斜視図である。
【図１Ｂ】図１Ａの接続構造の上面図である。
【図１Ｃ】図１Ａの接続構造の断面図である。
【図２】ケーブルの斜視図である。
【図３】接続部保護部材の分解斜視図である。
【図４】接続部保護部材のハウジングの斜視図である。
【図５Ａ】図１Ａの接続構造の接続手順を説明する断面図である。
【図５Ｂ】図１Ａの接続構造の接続手順を説明する断面図である。
【図５Ｃ】図１Ａの接続構造の接続解除手順を説明する断面図である。
【図５Ｄ】図１Ａの接続構造の接続解除手順を説明する断面図である。
【発明を実施するための形態】
【００１０】
［実施の形態］
以下、本発明の実施の形態を添付図面にしたがって説明する。
【００１１】
（接続構造の全体構成）
図１Ａは、本実施の形態に係る接続構造の斜視図、図１Ｂはその上面図、図１Ｃはその断面図である。
【００１２】
図１Ａ〜図１Ｃに示すように、接続構造１００は、端子台２に設けられた第１電極３（バスバ端子）と、ケーブル４の端部に設けられた第２電極５（バスバ端子）とをねじ止め固定する接続部６を有している。
【００１３】
本実施の形態に係る接続構造１００では、接続部６には、接続部６を保護すると共に、接続部６に作業者が触れることを抑制するための接続部保護部材１が設けられている。接続部保護部材１の具体的な構造等については後述する。
【００１４】
端子台２は、例えば、電気自動車やハイブリッド車等におけるバッテリやインバータ等の機器に設けられるものである。端子台２には、第１電極３が設けられている。図１Ａ〜図１Ｃでは図示を省略しているが、第１電極３は、板状に形成され、バッテリ等の機器のハウジング部から端子台２に延出されている。図１Ａ〜図１Ｃでは、第１電極３の先端部のみを示している。
【００１５】
第１電極３の先端部には、ねじ止め用のねじ７を螺合するねじ穴３ａが形成されている。なお、これに限らず、第１電極３にねじ７を通す貫通孔を形成し、端子台２にねじ７を螺合するナットを設けるようにしてもよい。
【００１６】
図１〜２に示すように、ケーブル４は、電気良導体からなる素線を撚り合わせた撚線導体からなる中心導体４ａの外周を絶縁体からなるシース４ｂで被覆して構成されている。ケーブル４の先端部では、シース４ｂから中心導体４ａが延出され、その延出された中心導体４ａに第２電極５が電気的に接続されている。
【００１７】
第２電極５は、ケーブル４の先端部にてシース４ｂから延出された中心導体４ａにかしめ固定されるかしめ部５ａと、かしめ部５ａと一体に形成されかしめ部５ａから前方（ケーブル４の延出側と反対方向）に延出された板状の端子部５ｂと、を有している。端子部５ｂには、ねじ止め用のねじ７を通す貫通孔５ｃが形成されている。
【００１８】
本実施の形態では、第２電極５のかしめ部５ａの外周を覆うように、絶縁体からなる収縮チューブ（熱収縮チューブ）２０が設けられており、この収縮チューブ２０により、かしめ部５ａに作業者が触れてしまうことを抑制している。詳細は後述するが、かしめ部５ａを覆うように収縮チューブ２０を設けることで、接続部保護部材１の小型化が可能になる。
【００１９】
ケーブル４には、機器の筐体（不図示）に設けられたケーブル挿入穴とケーブル４との間をシールするＯリング２１ａを有するシール機構２１が備えられている。なお、例えば防水構造とする必要がない場合や、端子台２が筐体内に備えられておらず機器から露出して設けられている場合等には、シール機構２１は省略可能である。
【００２０】
接続部６は、両電極３，５を重ね合わせ、第２電極５の貫通孔５ｃにねじ７を通し、ねじ７を第１電極３のねじ穴３ａに螺合することで、両電極３，５を締結固定し電気的に接続するように構成されている。
【００２１】
（接続部保護部材１の説明）
図３は接続部保護部材１の分解斜視図、図４はハウジングの斜視図である。
【００２２】
図１〜４に示すように、接続部保護部材１は、ねじ止め用のねじ７と、ハウジング８と、を備えている。
【００２３】
ハウジング８は、絶縁体からなり、接続部６を覆うように設けられる。ハウジング８は、略直方体形状に形成されており、対向配置された一対の側壁８ａ，８ｂと、側壁８ａ，８ｂの先端部（ケーブル４の延出側と反対側の端部）同士を連結する前壁８ｃと、側壁８ａ，８ｂ及び前壁８ｃの上端部同士を連結する上壁８ｄと、を一体に有している。ハウジング８は、その基端側（図１（ｂ）における右側）からケーブル４を延出するように構成されており、基端側と下側は開放された構造となっている。
【００２４】
ハウジング８は、端子台２に固定される。側壁８ａ，８ｂの下端部には、ハウジング８を端子台２に固定するためのフランジ部９が側方に突出するようにそれぞれ設けられており、両フランジ部９には、ハウジング８を端子台２に固定するためのボルトを通すボルト穴９ａがそれぞれ形成されている。ボルト穴９ａの周縁には、ボルト締結時にフランジ部９が変形することを抑制するための金属からなる中空円筒状のカラー９ｂが設けられている。なお、図１Ａ，図１Ｂおよび図３では、端子台２における第１電極３の近傍の部分のみ、すなわち端子台２の一部のみを示しており、図示していないが、ハウジング８の近傍の端子台２にはボルトを螺合する螺合部が形成されている。
【００２５】
ここでは、一方の側壁８ａの基端側の端部、および他方の側壁８ｂの先端側の端部にフランジ部９をそれぞれ設け、２箇所でハウジング８を端子台２に固定しているが、ハウジング８をボルト固定する箇所は２箇所に限らず、例えば３箇所以上としてもよい。また、ここでは、ボルト固定によりハウジング８を端子台２に固定したが、ハウジング８を端子台２に固定する構造はこれに限らず、例えば接着剤を用いた接着固定や、ランス等を用いた係止機構による機械的な固定等により、ハウジング８を端子台２に固定してもよい。
【００２６】
本実施の形態では、ハウジング８は、ねじ７を通す中空円筒状のガイド部１０を有している。ガイド部１０は、その軸方向が上下方向（ねじ７の螺合時にねじ７が移動する方向）と一致するように、側壁８ａ，８ｂと前壁８ｃと上壁８ｄとに囲まれた空間に配置され、後述する電極保護用リブ１１と導体保護用リブ１２により両側壁８ａ，８ｂに連結されている。
【００２７】
ガイド部１０の内径は、ねじ７の頭部７ａの外径よりも若干大きく形成されている。ガイド部１０の下端部は、所定の隙間を隔てて第１電極３の表面と対向するように設けられており、このガイド部１０と第１電極３との間の隙間に、第２電極５の端子部５ｂが挿入されるように構成されている。また、ガイド部１０の上端部は上壁８ｄに連結されており、上壁８ｄには、ガイド部１０の中空部と連通し、ねじ７を操作する工具を通すための工具用穴８ｅが形成されている。
【００２８】
ガイド部１０は、ねじ止め固定を解除したとき（非ねじ止め固定時）に、ねじ７を第１電極３から離間させた状態でガイド部１０内に保持するねじ保持機構１３を有している。
【００２９】
本実施の形態では、ねじ保持機構１３は、ランス１４と抜け止め突起１５とから構成されている。
【００３０】
ランス１４は、ガイド部１０に一体に形成され、下方に延出された軸部１４ａと、軸部１４ａの下端部に内方に突出するように形成された突起部１４ｂと、を有している。軸部１４ａの上端部はガイド部１０に連結されており、ランス１４は、ねじ７により突起部１４ｂが押されたときに、径方向外方に弾性的に変形するように構成されている。
【００３１】
本実施の形態では、ガイド部１０の対向する位置（径方向に対向する位置）に一対のランス１４を設けているが、ランス１４の数はこれに限定されず、例えば３つ以上のランス１４を設けてもよい。一対のランス１４の突起部１４ｂ同士（突起部１４ｂの先端同士の間隔）の間隔は、ねじ７の頭部７ａの外径よりも小さくされる。
【００３２】
ランス１４の突起部１４ｂは、ガイド部１０の軸方向と平行な断面（ここでは側壁８ａ，８ｂと平行な断面）が略三角形状に形成されており、その上面および下面がガイド部１０の軸方向と垂直な方向に対して傾斜して形成されている。すなわち、突起部１４ｂの上面は、下方にいくほど内方に突出するように傾斜して形成され、突起部１４ｂの下面は、上方にいくほど内方に突出するように傾斜して形成されている。これにより、ねじ７が突起部１４ｂを超えて上下に移動するときにランス１４が変形しやすくなり、ねじ止め作業およびねじ止めを解除する作業が容易になる。
【００３３】
ランス１４の突起部１４ｂは、ねじ止め固定を解除したとき（非ねじ止め固定時）に、ねじ７の頭部７ａを下方から支持し、ねじ７をガイド部１０内に保持する役割を果たす。ねじ７の脱着時のランス１４の動きの詳細については、後述する。
【００３４】
抜け止め突起１５は、ねじ７が上方に抜けることを抑制するためのものであり、ガイド部１０の上部（ここでは上端部）に内方に突出するように設けられている。ここでは、ガイド部１０の対向する位置（径方向に対向する位置）に一対の抜け止め突起１５を設けているが、抜け止め突起１５の数はこれに限定されない。抜け止め突起１５同士の間隔（抜け止め突起１５の先端同士の間隔）は、ねじ７の頭部７ａの外径よりも小さくされる。
【００３５】
また、本実施の形態では、ねじ７の頭部７ａには、絶縁塗装が施されている。これにより、ねじ７を操作する工具をねじ７に接触させた際の感電の発生が抑制される。なお、頭部７ａの全体が絶縁塗装されている必要はなく、少なくとも、工具が接触するおそれのある頭部７ａの上部が絶縁塗装されていればよい。
【００３６】
また、ハウジング８は、少なくともガイド部１０よりも第２電極５の挿入側に形成され、第１電極３を覆うように設けられた電極保護用リブ１１を有している。電極保護用リブ１１は、上壁８ｄと平行な板状に形成され、ガイド部１０の下端部から側方および基端側（第２電極５の挿入側）に突出するように形成されている。電極保護用リブ１１の基端部と端子台２との間には、作業者の指が入らない程度の隙間、より具体的には、第２電極５の端子部５ｂの厚さよりも若干大きい隙間が形成されており、この隙間に第２電極５の端子部５ｂが挿入されることになる。
【００３７】
この電極保護用リブ１１は、第２電極５を接続していないとき（第２電極５がハウジング８内に挿入されていないとき）に、作業者が第１電極３に触れてしまうことを抑制するためのものであり、少なくとも、第１電極３の基端側（第２電極５の挿入側）の端部を覆い、ハウジング８の基端側の開口から作業者の指が入れられた際に当該指が第１電極３に触れることができないように構成されている。また、電極保護用リブ１１の側端部は、両側壁８ａ，８ｂに連結されており、これにより、電極保護用リブ１１は、ガイド部１０の下端部をハウジング８の側壁８ａ，８ｂに支持させる役割も果たしている。
【００３８】
さらに、ハウジング８は、電極保護用リブ１１よりも上方に設けられた導体保護用リブ１２を備えている。導体保護用リブ１２は、電極保護用リブ１１と平行な板状に形成され、ガイド部１０の外壁から側方および基端側（第２電極５の挿入側）に突出するように形成されている。導体保護用リブ１２の側端部は、電極保護用リブ１１と同様に両側壁８ａ，８ｂに連結されている。
【００３９】
導体保護用リブ１２は、第２電極５をハウジング８内に挿入したときに、かしめ部５ａよりも若干上側（端子台２と反対側）となるように形成されており、その先端部（基端側の端部）が、ケーブル４の長手方向においてかしめ部５ａを覆う収縮チューブ２０と重なるように、基端側に延出されている。これにより、収縮チューブ２０に覆われていないケーブル４の中心導体４ａの先端およびかしめ部５ａの先端面に、作業者が触れることができないように構成されている。
【００４０】
なお、本実施の形態では、かしめ部５ａの周囲に収縮チューブ２０を設けることで、かしめ部５ａに作業者が触れられないように構成しているが、これに限らず、例えば、導体保護用リブ１２およびハウジング８の側壁８ａ，８ｂを、かしめ部５ａよりも基端側（シース４ｂと重なる位置）まで延出することで、シース４ｂとハウジング８との間に指等を挿入できないようにして、収縮チューブ２０を省略することも可能である。
【００４１】
また、単純にハウジング８の側壁８ａ，８ｂと上壁８ｄを長く形成し、かしめ部５ａよりも基端側に延びるハウジング８の長さを十分に確保することで、ハウジング８の基端側の開口から指等を挿入してもかしめ部５ａに届かないように構成し、収縮チューブ２０と導体保護用リブ１２を省略してもよい。
【００４２】
さらに、ハウジング８の基端側の開口を塞ぐ蓋部材をハウジング８と一体または別体に設けることで、基端側の開口からハウジング８内に指等を挿入できないように構成し、収縮チューブ２０と導体保護用リブ１２を省略することも可能である。
【００４３】
ただし、上述のような場合は、ハウジング８を基端側に延出することによりハウジング８が大型化してしまい、また、蓋部材を設ける場合にはハウジング８の構造が複雑化して金型による成形が困難になったり、部品点数が増加してしまうという問題が生じる。本実施の形態のように、かしめ部５ａを覆うように収縮チューブ２０を設ける構成とすることで、ハウジング８をコンパクトで、かつ金型による成形が可能な簡単な構造としつつも、接続部６に作業者が触れてしまうことを抑制可能になる。
【００４４】
ハウジング８を構成する部材、すなわち側壁８ａ，８ｂ、前壁８ｃ、上壁８ｄ、ガイド部１０、電極保護用リブ１１、および導体保護用リブ１２は、一体に構成されている。ハウジング８としては、例えば、ＰＢＴ（ポリブチレンテレフタレート）や、ナイロンからなるものを用いることができる。また、接続部６を流れる電流が大きく耐熱性が要求される場合、ハウジング８としては、例えば、ハイテンプラチャーナイロン（ＰＡ６Ｔ）や、ＰＰＳ（ポリフェニレンサルファイド）からなるものを用いることができる。
【００４５】
（接続手順および接続解除手順の説明）
図５Ａに示すように、接続部保護部材１では、ねじ止め固定を解除したとき（非ねじ止め固定時）には、ねじ７は、ランス１４の突起部１４ｂと抜け止め突起１５との間のガイド部１０内に保持される。このとき、ランス１４の突起部１４ｂがねじ７の頭部７ａを下方から支持することで、ねじ７が下方に抜けてしまうことが抑制され、ねじ７がガイド部１０内に保持されている。なお、ねじ７をハウジング８に取り付ける際（つまり接続部保護部材１を組み立てる際）には、ガイド部１０の下方からガイド部１０内に、ランス１４を変形させつつねじ７を挿入するとよい。
【００４６】
ねじ７の頭部７ａを突起部１４ｂにより支持した状態においては、ねじ７の軸部７ｂの下端部は、第２電極５の端子部５ｂの厚さよりも大きい隙間を隔てて第１電極３と対向しており、この隙間に第２電極５の端子部５ｂが挿入されることになる。
【００４７】
第１電極３と第２電極５とを接続する際には、まず、ハウジング８の基端側の開口からハウジング８内に第２電極を挿入し、電極保護用リブ１１と端子台２との間の隙間を介して、ガイド部１０と第１電極３との間の隙間（ねじ７の下端部と第１電極３との間の隙間）に第２電極５の端子部５ｂを挿入する。その後、ねじ７の頭部７ａに工具５１を係合してねじ７を下方に押し込む。
【００４８】
すると、図５Ｂに示すように、ねじ７を下方に押し込む力によりランス１４が外方に変形し、突起部１４ｂによる係止が解除されてねじ７が下方に移動する。その後、工具５１によりねじ７をねじ穴３ａに螺合することで、両電極３，５が締結固定され電気的に接続される。
【００４９】
第１電極３と第２電極５の接続を解除する際には、上壁８ｄの工具用穴８ｅから工具５１を挿入し、工具５１をねじ７の頭部７ａに係合させた後、ねじ７を回転させて両電極３，５の締結を緩める。
【００５０】
すると、図５Ｃに示すように、ねじ７の回転に伴ってねじ７が上方に移動し、ねじ７の頭部７ａがランス１４を外方に押し広げつつ上方に移動する。ねじ７の螺合が完全に解除されると、ランス１４の弾性により突起部１４ｂが内方に移動し、突起部１４ｂの上面でねじ７が上方に持ち上げられ、ねじ７の頭部７ａが突起部１４ｂよりも上方のガイド部１０内に収容される。
【００５１】
その後、図５Ｄに示すように、工具５１を上方に持ち上げると、抜け止め突起１５によりねじ７の頭部７ａの上方への移動が規制され、工具５１と頭部７ａの係合が解除される。これにより、ねじ７が上方に抜けてしまうことなく、工具５１を取り外すことが可能になる。工具５１との係合が解除されたねじ７は、下方に落下し、頭部７ａが突起部１４ｂにより支持された図５Ａの状態となる。その後、ハウジング８から第２電極５を抜去する。
【００５２】
（実施の形態の作用及び効果）
以上説明したように、本実施の形態に係る接続構造１００では、ねじ止め用のねじ７と、端子台２に固定され、接続部６を覆うように設けられる絶縁体からなるハウジング８と、を有する接続部保護部材１を備え、ハウジング８は、ねじ７を通す中空円筒状のガイド部１０を有し、ガイド部１０は、ねじ止め固定を解除したときに、ねじ７を第１電極３から離間させた状態でガイド部１０内に保持するねじ保持機構１３を有している。
【００５３】
このように構成することで、両電極３，５をねじ止め固定した接続部６を接続部保護部材１で覆うことが可能になり、作業者が接続部６に直接触れることができない構造とすること、すなわち接続部６をタッチプロテクト構造とすることが可能になる。その結果、接続作業を安全に行うことが可能になり、感電等の不具合が発生することを抑制できる。
【００５４】
また、本実施の形態では、ハウジング８を端子台２に固定しているため、接続作業中にも作業者の安全を確保することが可能になる。
【００５５】
例えば、第１電極３がバッテリに接続された電極である場合、両電極３，５の接続作業時になんらかの理由でバッテリが動作してしまった場合に、作業者が感電してしまうおそれが生じるが、本実施の形態では、ハウジング８が端子台２に固定されており、接続作業中においても活電部が常に露出しない構造となっているため、なんらかの理由でバッテリが動作してしまった場合にも、感電等の不具合が発生することを抑制できる。
【００５６】
また、本実施の形態では、非ねじ止め固定時にねじ７を第１電極３から離間させた状態でハウジング８のガイド部１０内に保持する構成となっているため、非ねじ止め固定時にねじ７がガイド部１０の中空部（ねじを挿通する穴）を塞ぐ役割を果たし、ガイド部１０の中空部を塞ぐ蓋部材等を備えない簡単な構成で、タッチプロテクトを実現できる。なお、ねじ７を下方に押し込んで電極３，５と接触させた際にはねじ７も活電部となるが、本実施の形態では、ねじ７の頭部７ａに絶縁塗装を施しているため、ねじ７に接触することによる感電を抑制可能である。
【００５７】
また、ねじ７をガイド部１０内に保持する構成とすることで、ねじ７がハウジング８から意図せず脱落することがなくなり、また、ねじ７の締結を解除すれば自動的にねじ７がガイド部１０内に収容されるようになるため、接続作業や接続解除作業が非常に容易になる。
【００５８】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５９】
［１］端子台（２）に設けられた第１電極（３）と、ケーブル（４）の端部に設けられた第２電極（５）とをねじ止め固定する接続部（６）を有する接続構造（１００）であって、ねじ止め用のねじ（７）と、前記端子台（２）に固定され、前記接続部（６）を覆うように設けられる絶縁体からなるハウジング（８）と、を有する接続部保護部材（１）を備え、前記ハウジング（８）は、前記ねじ（７）を通す中空円筒状のガイド部（１０）を有し、前記ガイド部（１０）は、前記ねじ止め固定を解除したときに、前記ねじ（７）を前記第１電極（３）から離間させた状態で前記ガイド部（１０）内に保持するねじ保持機構（１３）を有する、接続構造（１００）。
【００６０】
［２］前記ねじ保持機構（１３）は、前記ガイド部（１０）に一体に形成され、下方に延出された軸部（１４ａ）と該軸部（１４ａ）の下端部に内方に突出するように形成された突起部（１４ｂ）とを有し、径方向外方に弾性的に変形するランス（１４）を有し、前記ねじ止め固定を解除したときに、前記突起部（１４ｂ）により前記ねじ（７）の頭部（７ａ）を支持することで、前記ねじ（７）を前記ガイド部（１０）内に保持するように構成される、［１］に記載の接続構造（１００）。
【００６１】
［３］前記ねじ保持機構（１３）は、前記ガイド部（１０）の上部に内方に突出するように設けられ、前記ねじ（７）が上方に抜けることを抑制する抜け止め突起（１５）を有する、［１］または［２］に記載の接続構造（１００）。
【００６２】
［４］前記ハウジング（８）は、対向配置された１対の側壁（８ａ，８ｂ）と、前記両側壁（８ａ，８ｂ）の先端部を連結する前壁（８ｃ）と、前記両側壁（８ａ，８ｂ）と前記前壁（８ｃ）の上端部を連結し、前記ねじ（７）を操作する工具（５１）を通す工具用穴（８ｅ）が形成された上壁（８ｄ）と、を一体に有し、少なくとも前記ガイド部（１０）よりも前記第２電極（５）の挿入側に形成され、前記第１電極（３）を覆うように設けられた電極保護用リブ（１１）を有する、［１］または［２］に記載の接続構造（１００）。
【００６３】
［５］前記ねじ（７）の頭部（７ａ）には、絶縁塗装が施されている、［１］乃至［４］の何れか１項に記載の接続構造（１００）。
【００６４】
［６］端子台（２）に設けられた第１電極（３）と、ケーブル（４）の端部に設けられた第２電極（５）とをねじ止め固定する接続部（６）に設けられる接続部保護部材（１）であって、ねじ止め用のねじ（７）と、前記端子台（２）に固定され、前記接続部（６）を覆うように設けられる絶縁体からなるハウジング（８）と、を備え、前記ハウジング（８）は、前記ねじ（７）を通す中空円筒状のガイド部（１０）を有し、前記ガイド部（１０）は、前記ねじ止め固定を解除したときに、前記ねじ（７）を前記第１電極（３）から離間させた状態で前記ガイド部（１０）内に保持するねじ保持機構（１３）を有する、接続部保護部材（１）。
【００６５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６６】
本発明は、その趣旨を逸脱しない範囲で適宜変形して実施することが可能である。
【００６７】
例えば、上記実施の形態では、端子台２に接続するケーブル４が１本である場合を説明したが、複数のケーブル４を端子台２に接続する場合にも、本発明は適用可能である。
【００６８】
複数のケーブル４を端子台２に接続する場合、各ケーブル４に対応するように個別に接続部保護部材１を設けてもよいし、各ケーブル４で共通とした一体構造の接続部保護部材１を設けてもよい。この場合、複数のハウジング８を側方に連結した構造としてもよい。
【符号の説明】
【００６９】
１…接続部保護部材
２…端子台
３…第１電極
４…ケーブル
５…第２電極
６…接続部
７…ねじ
７ａ…頭部
７ｂ…軸部
８…ハウジング
１０…ガイド部
１１…電極保護用リブ
１２…導体保護用リブ
１３…ねじ保持機構
１４…ランス
１４ａ…軸部
１４ｂ…突起部
１５…抜け止め突起
２０…収縮チューブ
１００…接続構造
【図１Ａ】
2017064773.tif 000003
【図１Ｂ】
2017064773.tif 000004
【図１Ｃ】
2017064773.tif 000005
【図２】
2017064773.tif 000006
【図３】
2017064773.tif 000007
【図４】
2017064773.tif 000008
【図５Ａ】
2017064773.tif 000009
【図５Ｂ】
2017064773.tif 000010
【図５Ｃ】
2017064773.tif 000011
【図５Ｄ】
2017064773.tif 000012
【国際調査報告】
2017064773.tif 000013
2017064773.tif 000014
2017064773.tif 000015
2017064773.tif 000016